【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
燃料を噴射可能な噴孔（３１）、および前記噴孔に通じる燃料通路（１８）を有するノズルボディ（２０）と、
前記燃料通路を開閉することで、前記噴孔からの燃料噴射と噴射停止とを切り替えるニードル（４０）と、
を備え、
前記噴孔の中心に沿って延びる仮想線を噴孔軸（Ｃ３）と呼び、前記噴孔のうち前記噴孔軸に対して垂直な断面を噴孔垂直断面（Ｓ１、Ｓ２、Ｓ３、Ｓ４）と呼ぶ場合に、
前記噴孔垂直断面は、扁平形状であり、かつ、前記噴孔の流入口（３１１）から流出口（３１２）にかけて相似形状のまま徐々に面積拡大していく形状であり、
前記流入口は、前記ノズルボディにおける前記燃料通路を形成する曲面に設けられており、
前記流出口は、前記ノズルボディの外面（３０１ａ）に形成された平面に設けられている、燃料噴射弁。
【請求項２】
燃料を噴射可能な噴孔（３１）、および前記噴孔に通じる燃料通路（１８）を有するノズルボディ（２０）と、
前記燃料通路を開閉することで、前記噴孔からの燃料噴射と噴射停止とを切り替えるニードル（４０）と、
を備え、
前記噴孔の中心に沿って延びる仮想線を噴孔軸（Ｃ３）と呼び、前記噴孔のうち前記噴孔軸に対して垂直な断面を噴孔垂直断面（Ｓ１、Ｓ２、Ｓ３、Ｓ４）と呼ぶ場合に、
前記噴孔垂直断面は、扁平形状であり、かつ、前記噴孔の流入口（３１１）から流出口（３１２）にかけて相似形状のまま徐々に面積拡大していく形状であり、
前記ノズルボディの外面（３０１ａ）には円柱状の凹部（３２）が設けられており、
前記流出口は前記凹部（３２）の底面に設けられている、燃料噴射弁。
【請求項３】
前記噴孔のうち前記噴孔軸を含む断面を噴孔縦断面と呼ぶ場合に、
前記噴孔縦断面は、前記流入口から前記流出口にかけて、前記噴孔の内壁面を直線的に拡大させていくテーパ形状である請求項１または２に記載の燃料噴射弁。
【請求項４】
燃料を噴射可能な噴孔（３１）、および前記噴孔に通じる燃料通路（１８）を有するノズルボディ（２０）と、
前記燃料通路を開閉することで、前記噴孔からの燃料噴射と噴射停止とを切り替えるニードル（４０）と、
を備え、
前記噴孔の中心に沿って延びる仮想線を噴孔軸（Ｃ３）と呼び、前記噴孔のうち前記噴孔軸に対して垂直な断面を噴孔垂直断面（Ｓ１、Ｓ２、Ｓ３、Ｓ４）と呼ぶ場合に、
前記噴孔垂直断面は、前記噴孔の流入口（３１１）から流出口（３１２）にかけて、短軸（Ｌａ）と長軸（Ｌｂ）を有する楕円形状のまま徐々に面積拡大していく形状であり、
前記噴孔は、前記流入口から前記流出口にかけて、前記短軸の長さと前記長軸の長さとの比率を不変とする形状であり、
前記流入口は、前記ノズルボディにおける前記燃料通路を形成する曲面に設けられており、
前記流出口は、前記ノズルボディの外面（３０１ａ）に形成された平面に設けられている、燃料噴射弁。
【請求項５】
燃料を噴射可能な噴孔（３１）、および前記噴孔に通じる燃料通路（１８）を有するノズルボディ（２０）と、
前記燃料通路を開閉することで、前記噴孔からの燃料噴射と噴射停止とを切り替えるニードル（４０）と、
を備え、
前記噴孔の中心に沿って延びる仮想線を噴孔軸（Ｃ３）と呼び、前記噴孔のうち前記噴孔軸に対して垂直な断面を噴孔垂直断面（Ｓ１、Ｓ２、Ｓ３、Ｓ４）と呼ぶ場合に、
前記噴孔垂直断面は、前記噴孔の流入口（３１１）から流出口（３１２）にかけて、短軸（Ｌａ）と長軸（Ｌｂ）を有する楕円形状のまま徐々に面積拡大していく形状であり、
前記噴孔は、前記流入口から前記流出口にかけて、前記短軸の長さと前記長軸の長さとの比率を不変とする形状であり、
前記ノズルボディの外面（３０１ａ）には円柱状の凹部（３２）が設けられており、
前記流出口は前記凹部（３２）の底面に設けられている、燃料噴射弁。
【請求項６】
前記噴孔のうち前記噴孔軸を含む断面を噴孔縦断面と呼び、前記噴孔縦断面のうち前記短軸を含む平面を短軸平面と呼び、前記噴孔縦断面のうち前記長軸を含む平面を長軸平面と呼ぶ場合に、
前記噴孔縦断面は、前記流入口から前記流出口にかけて、前記噴孔の内壁面を直線的に拡大させていくテーパ形状であり、
前記短軸平面に現れる前記テーパ形状のテーパ角度である短軸テーパ角度（θａ）と、前記長軸平面に現れる前記テーパ形状のテーパ角度である長軸テーパ角度（θｂ）との比率は、前記短軸の長さと前記長軸の長さとの比率と同一である請求項４または５に記載の燃料噴射弁。
【請求項７】
前記凹部は前記噴孔軸と同軸に形成されている、請求項２または５に記載の燃料噴射弁。
【請求項８】
前記噴孔軸上では前記凹部が前記噴孔よりも短い、請求項２，５，７のいずれか１つに記載の燃料噴射弁。
【請求項９】
前記噴孔は、前記ノズルボディに複数形成されており、
複数の前記噴孔の前記流入口は、前記ノズルボディの中心線（Ｃ２）の周りに並べて配置されており、
前記燃料通路は、
前記中心線の周りに環状に延びて前記中心線の延びる方向へ燃料を流通させる環状通路（３０５）と、
前記環状通路を流通した燃料を集合させて複数の前記流入口へ分配する分配通路（３０３）と、
を有する請求項１〜８のいずれか１つに記載の燃料噴射弁。
【請求項１０】
前記噴孔垂直断面は、前記流入口から前記流出口にかけて、短軸を共有しつつ長軸長さを異にする２つの半楕円を合わせた形状であり、
２つの前記半楕円のうち、前記中心線に近い側の半楕円を内側半楕円（Ｓ１ｉｎ、Ｓ２ｉｎ）と呼び、他方の側の半楕円を外側半楕円（Ｓ１ｏｕｔ、Ｓ２ｏｕｔ）と呼ぶ場合に、
前記噴孔は、前記外側半楕円の長軸が前記内側半楕円の長軸より長くなる形状である請求項９に記載の燃料噴射弁。
【請求項１１】
前記噴孔垂直断面は、前記流入口から前記流出口にかけて、短軸（Ｌａ）と長軸（Ｌｂ）を有する楕円形状のまま徐々に面積拡大していく形状であり、
前記噴孔のうち前記噴孔軸を含む断面を噴孔縦断面と呼び、前記噴孔縦断面のうち前記短軸を含む平面を短軸平面と呼び、前記噴孔縦断面のうち前記長軸を含む平面を長軸平面と呼び、前記長軸平面に現れる前記噴孔の壁面のうち前記中心線に近い側の壁面を内側壁面（３１ｂ）と呼び、前記長軸平面に現れる前記噴孔の壁面のうち前記中心線から遠い側の壁面を外側壁面（３１ｃ）と呼ぶ場合に、
前記内側壁面と前記噴孔軸とのなす角度である内側テーパ角（θ１）は、前記外側壁面と前記噴孔軸とのなす角度である外側テーパ角（θ２）よりも小さい請求項９または１０に記載の燃料噴射弁。
【請求項１２】
複数の前記噴孔の前記流入口は、前記ノズルボディの中心線（Ｃ２）の周りに同心円状に配置されている請求項１〜１１のいずれか１つに記載の燃料噴射弁。
【手続補正２】
【補正対象書類名】明細書
【補正対象項目名】００１１
【補正方法】変更
【補正の内容】
【００１１】
上記目的を達成するため、開示された態様は、
燃料を噴射可能な噴孔（３１）、および噴孔に通じる燃料通路（１８）を有するノズルボディ（２０）と、燃料通路を開閉することで、噴孔からの燃料噴射と噴射停止とを切り替えるニードル（４０）と、を備え、
噴孔の中心に沿って延びる仮想線を噴孔軸（Ｃ３）と呼び、噴孔のうち噴孔軸に対して垂直な断面を噴孔垂直断面（Ｓ１、Ｓ２、Ｓ３、Ｓ４）と呼ぶ場合に、
噴孔垂直断面は、扁平形状であり、かつ、噴孔の流入口（３１１）から流出口（３１２）にかけて相似形状のまま徐々に面積拡大していく形状であり、
流入口は、ノズルボディにおける燃料通路を形成する曲面に設けられており、
流出口は、ノズルボディの外面（３０１ａ）に形成された平面に設けられている、燃料噴射弁とされる。
また、開示された態様は、
燃料を噴射可能な噴孔（３１）、および噴孔に通じる燃料通路（１８）を有するノズルボディ（２０）と、
燃料通路を開閉することで、噴孔からの燃料噴射と噴射停止とを切り替えるニードル（４０）と、
を備え、
噴孔の中心に沿って延びる仮想線を噴孔軸（Ｃ３）と呼び、噴孔のうち噴孔軸に対して垂直な断面を噴孔垂直断面（Ｓ１、Ｓ２、Ｓ３、Ｓ４）と呼ぶ場合に、
噴孔垂直断面は、扁平形状であり、かつ、噴孔の流入口（３１１）から流出口（３１２）にかけて相似形状のまま徐々に面積拡大していく形状であり、
ノズルボディの外面（３０１ａ）には円柱状の凹部（３２）が設けられており、
流出口は凹部（３２）の底面に設けられている、燃料噴射弁とされる。
【手続補正３】
【補正対象書類名】明細書
【補正対象項目名】００１２
【補正方法】変更
【補正の内容】
【００１２】
上記態様では、噴孔垂直断面は、扁平形状であり、かつ、噴孔の流入口から流出口にかけて相似形状のまま徐々に面積拡大していく形状である。よって、噴孔垂直断面の形状は、噴孔軸上のいずれの位置の断面であるかに拘らず相似形状となる。そのため、噴孔垂直断面の形状が噴孔軸上の位置に応じて複雑に変化していく従来の形状に比べて、噴孔軸上の位置に応じた噴孔垂直断面の形状を、所望の形状に加工することが容易になる。よって、噴孔形状の精度悪化による噴霧形状の精度悪化を抑制しつつ、噴孔を、徐々に面積拡大していく形状かつ扁平形状にすることが実現可能となる。
【手続補正４】
【補正対象書類名】明細書
【補正対象項目名】００１４
【補正方法】変更
【補正の内容】
【００１４】
上記目的を達成するため、開示された態様は、
燃料を噴射可能な噴孔（３１）、および噴孔に通じる燃料通路（１８）を有するノズルボディ（２０）と、燃料通路を開閉することで、噴孔からの燃料噴射と噴射停止とを切り替えるニードル（４０）と、を備え、
噴孔の中心に沿って延びる仮想線を噴孔軸（Ｃ３）と呼び、噴孔のうち噴孔軸に対して垂直な断面を噴孔垂直断面（Ｓ１、Ｓ２、Ｓ３、Ｓ４）と呼ぶ場合に、
噴孔垂直断面は、噴孔の流入口から流出口にかけて、短軸（Ｌａ）と長軸（Ｌｂ）を有する楕円形状のまま徐々に面積拡大していく形状であり、
噴孔は、流入口から流出口にかけて、短軸の長さと長軸の長さとの比率を不変とする形状であり、
流入口は、ノズルボディにおける燃料通路を形成する曲面に設けられており、
流出口は、ノズルボディの外面（３０１ａ）に形成された平面に設けられている、燃料噴射弁とされる。
また、開示された態様は、
燃料を噴射可能な噴孔（３１）、および噴孔に通じる燃料通路（１８）を有するノズルボディ（２０）と、
燃料通路を開閉することで、噴孔からの燃料噴射と噴射停止とを切り替えるニードル（４０）と、
を備え、
噴孔の中心に沿って延びる仮想線を噴孔軸（Ｃ３）と呼び、噴孔のうち噴孔軸に対して垂直な断面を噴孔垂直断面（Ｓ１、Ｓ２、Ｓ３、Ｓ４）と呼ぶ場合に、
噴孔垂直断面は、噴孔の流入口（３１１）から流出口（３１２）にかけて、短軸（Ｌａ）と長軸（Ｌｂ）を有する楕円形状のまま徐々に面積拡大していく形状であり、
噴孔は、流入口から流出口にかけて、短軸の長さと長軸の長さとの比率を不変とする形状であり、
ノズルボディの外面（３０１ａ）には円柱状の凹部（３２）が設けられており、
流出口は凹部（３２）の底面に設けられている、燃料噴射弁とされる。
【手続補正５】
【補正対象書類名】明細書
【補正対象項目名】００１５
【補正方法】変更
【補正の内容】
【００１５】
上記態様では、噴孔垂直断面は、流入口から流出口にかけて、楕円形状のまま徐々に面積拡大していく形状であり、噴孔は、流入口から流出口にかけて、短軸の長さと長軸の長さとの比率を不変とする形状である。そのため、噴孔垂直断面の形状が噴孔軸上の位置に応じて複雑に変化していく従来の形状に比べて、噴孔軸上の位置に応じた噴孔垂直断面の形状を、所望の形状に加工することが容易になる。よって、噴孔形状の精度悪化による噴霧形状の精度悪化を抑制しつつ、噴孔を、徐々に面積拡大していく形状かつ楕円形状にすることが実現可能となる。